(57)【要約】非加圧ポンプで散布可能な濃縮空気清浄組成物、及び濃縮空気清浄組成物を含むポンプ製品を使用して空気を清浄する方法が記載されている。空気清浄組成物は、減少したＶＯＣ含有量を持っているし、従来の加圧された空気清浄エアゾールと少なくとも同等な香料強度及び寿命を提供する。
2017516511.tif 000002
【特許請求の範囲】
【請求項１】
空気又は布地を処理するシステムであって、
（ａ）１００重量％に基づいて、
（１）約３０重量％〜約８８重量％の水と、
（２）約１０重量％〜約５５重量％の少なくとも１つのアルコール可溶化剤と、
（３）約２重量％〜約１６重量％の香料成分と、
（４）選択的に、約５重量％以下の、消臭成分、殺菌成分、又はそれらの混合物の中の１つ以上と、
（５）選択的に、約１重量％以下の１つ以上の補助可溶化剤と、
（６）選択的に、約０．５重量％以下の防腐剤と、を含む組成物と、
（ｂ）前記組成物を保持する本体及び噴霧ヘッドを含む非加圧噴霧ポンプ容器と、を組み合わせで含み、
前記噴霧ヘッドによって散布された前記組成物は、累積粒径分布の第１０百分位数と第９０百分位数との間で測定される場合、約２５〜約１２５ミクロンの範囲の粒径を有し、前記組成物から噴射剤が除外される、システム。
【請求項２】
前記組成物が単相である、請求項１に記載のシステム。
【請求項３】
前記組成物が透明である、請求項１に記載のシステム。
【請求項４】
前記本体は、内容量が約６液量オンス以下である、請求項１に記載のシステム。
【請求項５】
前記本体は、内容量が約１００ミリリットル（ｍｌ）以下である、請求項４に記載のシステム。
【請求項６】
前記本体がプラスチックで作られる、請求項１に記載のシステム。
【請求項７】
前記プラスチックが熱可塑性材料である、請求項６に記載のシステム。
【請求項８】
前記本体が、透明、又は不透明若しくは部分的に不透明である、請求項６に記載のシステム。
【請求項９】
前記本体が透明である、請求項８に記載のシステム。
【請求項１０】
前記本体が、プラスチックで作られ、透明、不透明、又は部分的に不透明である、請求項５に記載のシステム。
【請求項１１】
前記噴霧ヘッドによって提供された粒子は、Ｄｖ（５０）での粒径が、エアゾールとして前記組成物の粒子よりも、約１．５〜約３倍大きい、請求項１に記載のシステム。
【請求項１２】
前記香料成分が４重量％超過の量で存在する場合、前記組成物から界面活性剤が除外される、請求項１に記載のシステム。
【請求項１３】
前記消臭成分及び／又は殺菌成分が，モノアルキレングリコール、ジアルキレングリコール及びトリアルキレングリコール、プロピレングリコール、ジプロピレングリコール、並びに第四級アンモニウム化合物の中の１つ以上である、請求項１に記載のシステム。
【請求項１４】
前記アルコール可溶化剤が、第１級Ｃ１〜Ｃ４アルコール、第２級Ｃ１〜Ｃ４アルコール、及びＣ１〜Ｃ４アルキレングリコールの中の１つ以上である、請求項１記載のシステム。
【請求項１５】
前記水が、約３０重量％〜約８０重量％の範囲で存在する、請求項１に記載のシステム。
【請求項１６】
前記少なくとも１つのアルコール可溶化剤が、約４０重量％〜約５０重量％の範囲で存在する、請求項１に記載のシステム。
【請求項１７】
前記香料成分が、約８重量％〜約１２重量％の範囲で存在する、請求項１に記載のシステム。
【請求項１８】
前記補助可溶化剤の中の少なくとも１つが存在し、アルコール含有化合物から選択される、請求項１に記載のシステム。
【請求項１９】
前記消臭成分及び前記殺菌成分の中の１つ以上が、約０．５重量％〜約５重量％の範囲内に存在する、請求項１に記載のシステム。
【発明の詳細な説明】
【関連出願】
【０００１】
本出願は、２０１４年３月２８日に出願された米国仮出願番号第６１／９７２，１１５号及び２０１４年４月１０日に出願された米国仮出願番号第６１／９７７，９０７号の利益を主張する。
【技術分野】
【０００２】
本発明は、非加圧ポンプで散布可能な濃縮空気清浄剤組成物、及び濃縮空気清浄剤組成物を含むポンプ製品を使用して空気を清浄する方法に関する。特に興味深いポンプは、ポンプと共に得られた特定の付加的な利点に基づくミニポンプである。
【背景技術】
【０００３】
現在市販されている、標準サイズのエアゾール（約８液量オンス（２３６．５ｍｌ）以上）、小型エアゾール（約６液量オンス（１７７．４ｍｌ）以下）、又はミニエアゾール（一般的に１００ｍｌ（３．３８液量オンス）以下）の形態の空気清浄剤は、一般的に、液化石油ガス（ＬＰＧ）、例えば、プロパン、ブタン又はそれらの混合物を含むエアゾールである。ミニエアゾールは、一般的に計量された用量の自動空気清浄剤ディスペンサー、又は個人用携帯噴霧器として使用されている。このような空気清浄剤において揮発性有機化合物（ＶＯＣ）含有量を減少させることが望ましい。揮発性有機化合物（ＶＯＣ）とは、通常、室温条件で高い蒸気圧を有する有機化合物である。このような高い蒸気圧は、低沸点に起因するものであって、多数の分子が、液体又は固体形態の化合物から蒸発又は昇華し、周囲の空気中に入る。米国は、州ごとに規定が異なる。カリフォルニア州大気資源局（ＣＡＲＢ）の規定がおそらく最も制限的な規定と考えられる。ＣＡＲＢの規定は、消費者製品について、サブチャプター８．５、消費者製品、第２条の「消費者製品からの揮発性有機化合物排出量の削減のための規定」と題するＣＡＲＢの刊行物に記載されている。ＶＯＣの１つの定義は、２０℃で０．１ｍｍＨｇより高い蒸気圧を有する任意の有機化合物（すなわち、分子中に少なくとも１つの炭素原子を含有する化合物）である。ＣＡＲＢ規定ではＶＯＣとして見なすことについて例外のリストを含むことに留意すべである（上記の「規定」刊行物の第２条、§９４５０８（ａ）（１４４）参照）。
【０００４】
ＬＰＧ含有エアゾールに対する１つの代案は、噴射剤として、ＬＰＧではなく、圧縮ガスを含むことである。圧縮ガスが、ＶＯＣ含有量を減少させるための標準サイズのエアゾール製品の代替物であるが、圧縮ガスの製剤は、過大なヘッドスペースの容積（約３０〜５０％）を必要としてミニエアゾールで実行することができないので、このうな圧縮ガスは、ミニエアゾール製品に使用することは適当ではない。圧縮ガスのエアゾール製品を散布するように働く、ミニエアゾールに適した定量バルブが使用できない。
【０００５】
従って、代替空気清浄剤ディスペンサー、特にミニ空気清浄剤ディスペンサー、及びＶＯＣ含有量を減少した組成物を提供し、そしてさらに従来の標準的な空気清浄エアゾール及びミニエアゾールより優れているとは言わないまでも少なくとも同じくらい香料の強度及び寿命を提供することが要求される。
【発明の概要】
【課題を解決するための手段】
【０００６】
本発明は、非加圧ポンプ（好ましい実施形態としてミニポンプ）の形態のディスペンサー、及び従来のエアゾール空気清浄剤と同等であるか又はこのよりも改善された寿命及び香料の強度を提供する濃縮空気清浄剤組成物に関する。本明細書で理解されている、非加圧ポンプディスペンサー又は非加圧ポンプパッケージングは、ポンプを含むパッケージングであって、任意の場合に、パッケージングの内部とパッケージングの外部との圧力差が、小さく、製造業者によって導入されないパッケージングを含む。ポンプの作用を介して液体を散布し、一時的に液体の一部分を圧縮することができる。用語「空気清浄剤」、「空気清浄剤組成物」、「空気清浄剤製剤」、「空気清浄組成物」又はその変形は、本明細書において等価物と考えられ、そして香料、及び／又は消臭活性物質及び／又は殺菌活性物質（例えばトリエチレングリコール（ＴＥＧ）又はプロピレングリコール）及び／又は消毒剤（例えば、第四級アンモニウム化合物）を含む空気処理組成物を含むと理解される。本発明の空気清浄剤組成物は、布地（例えば、室内装飾品、リネンなど）と空気の両方を処理するために有用である。
【０００７】
本発明のポンプの濃縮空気清浄剤は、空気清浄製剤又はポンプディスペンサーに噴射剤を必要としないので、噴射剤のための任意のヘッドスペースの容積を必要としない。ＬＰＧ及び圧縮ガスの噴射剤は、好ましくは、（最も有利な結果を得るために）本明細書に記載される製剤から除外される。この製剤のこれらの実施形態では、標準サイズのエアゾール容器又はミニエアゾール容器内に存在する従来のエアゾール空気清浄剤と比較して有意に減少したＶＯＣ含有量を有している。しかし、ポンプ製剤内に従来ＬＰＧ噴射剤を含むことは簡単ではなく、問題となり得ることに留意する。これは、一般的に、ＶＯＣ含有量を減少するこどが要求されている目標であるので、考慮事項ではない。ＬＰＧ噴射剤が、カップの下のポンプ容器に充填されることができるが、バルブを介して充填されることはできない。プラスチック容器を加圧するには、崩壊することなく、圧力に耐えることができるプラスチックを必要とする。さらに、ポンプは、一般的に、容器の崩壊を防ぐために、容器の内部の圧力を、容器の外部の圧力と平衡化するための通気口を含む。このように、通気口によって噴射剤の損失を引き起こす可能性がある。しかしながら、イソペンタン又はネオペンタンなどの低沸点液体は、粒径を減少させ、そしてプルームの「爆発」（“ｂｕｒｓｔ”  ｏｆ  ｐｌｕｍｅ）を増加させるために含めることが可能である。
【０００８】
なお、空気清浄剤を散布するためのポンプ容器は、散布された空気清浄剤についてより大きな粒径及び減少したＶＯＣ含有量を有することができ、そしてさらに空気清浄剤を散布するために従来の標準サイズのエアゾール及びミニエアゾール内に提供されたものと同等な強度及び寿命を持つことを感覚的に経験するできることが見出された。さらに、ミニポンプは、特に、従来の標準サイズのエアゾール及びミニエアゾールと比べて、次にさらに説明するようにプラスチック容器を散布容器として使用する能力及び減少したＶＯＣ含有量の程度について、重要な利点を有することが見出された。
【０００９】
本発明において、好ましい実施形態は、小さな容器又はミニ容器、すなわち、０超過〜約６液量オンス（ｆｌ．ｏｚｓ．）（１７７．４ｍｌ）の内容量を有する小型散布容器及び約１００ｍｌ（３．３８ｆｌ．ｏｚｓ．）の内容量を有するミニ散布容器を含む。対応するサイズのミニポンプヘッド又は小型ポンプヘッドには、散布するための容器が設けられている。ポンプヘッドは、ミニ空気清浄剤を置く用途に応じて任意の所望の角度で噴霧を提供することができ、手操作噴霧ディスペンサー、又は自動若しくは機械的な噴霧ディスペンサーであってもよい。空気清浄剤製剤に基づいて、容器は、好ましくはプラスチック、より好ましくは透明なプラスチック作られることができる。空気清浄製剤はまた、透明であることができる。このように、透明な空気清浄製剤が透明なプラスチック容器に収容されると、これは消費者に純粋な外観を提供することができる。さらに、非加圧空気清浄剤製剤が噴射剤のための任意のヘッドスペースを必要としないため、非加圧ポンプ容器は、同じサイズの容器を使用するエアゾールよりも多い製品を保持することができ、そして消費者は、容器の充填水準を見ることができる、すなわち、それがいっぱいになり、ヘッドスペースを開ける必要がない。
【００１０】
空気清浄組成物は、その中に香料の高い水準を有すものであって、濃縮組成物と考えられている。この組成物は、噴射剤が存在しないため、従来の空気清浄エアゾールと比較して減少したＶＯＣ含有量を有する。この組成物は、さらに高い水分含有量を含む。この組成物が単相である。
【００１１】
ポンプディスペンサー、特にミニポンプディスペンサーで使用するための本発明の空気清浄組成物の製剤は、約３０重量％〜約８８重量％の水、約１０重量％〜約５５重量％のアルコール可溶化成分、及び約２重量％〜約１６重量％の香料を含む。濃縮空気清浄剤に含む可能な選択的成分は、例えば、約５重量％以下の量で存在する消臭及び／又は殺菌を提供するための１つ以上の活性物質、１重量％以下の量で存在する１つ以上の補助可溶化剤、及び約０．５重量％以下の量で存在する１つ以上のアジュバント（例えば、防腐剤）である。
【００１２】
散布された組成物の粒径は、一般的に約２５〜約１２５ミクロンの範囲内であることがある（この粒径は、累積粒径分布の第１０百分位数と第９０百分位数との間の粒径分布に基づいている）。
【００１３】
また、従来、より大きな粒径のポンプ噴霧空気清浄剤は、香料の強度及び寿命の点で劣るとみなされて、空気清浄組成物を散布する際に使用するための選択肢と見なされなかったので、より大きな粒径を有する組成物が、香料の強度及び寿命の点でＬＰＧ又は圧縮ガスのエアゾールに匹敵することは驚くべきことである。この特性は、以下でさらに説明する。
【図面の簡単な説明】
【００１４】
【図１】（ａ）〜（ｅ）は、本発明の空気清浄組成物及び比較空気清浄組成物について感覚強度試験結果をグラフに示す。
【図２】（ａ）〜（ｅ）は、本発明の空気清浄組成物及び比較空気清浄組成物について異なる時間間隔で経時的に感覚強度結果をグラフに示す。
【図３】エアゾール組成物及びポンプ組成物の各々について２重量％のレベルで４つの香料のマルバーン試験の累積粒径分布を示すグラフである。
【図４】エアゾール組成物及びポンプ組成物の各々について、８重量％のレベルで４つの香料のマルバーン試験の累積粒径分布を示すグラフである。
【発明を実施するための形態】
【００１５】
非加圧ポンプの濃縮空気清浄剤は、減少したＶＯＣ含有量を有し、噴射剤の成分としてＬＰＧ又は圧縮ガスを含む標準サイズのエアゾール及びミニエアゾールと少なくとも同等な香料の強度及び寿命を提供する。これは、従来、エアゾール組成物とポンプ組成物の間に粒径の差のために不可能と考えられた。しかし、現在では、本発明は、エアゾール組成物とポンプ組成物との間に香料の強度及び寿命について同等であることができることを示している。これは、減少したＶＯＣ含有量を有し、全くヘッドスペースを必要としなく販売の時点で完全な散布容器を提供するポンプで散布された組成物によって特に有利である。従来、空気清浄剤、特に高い香料含有組成物に利用できるＬＰＧミニエアゾールへの代替物がなかったので、これは、空気清浄組成物のためのミニポンプディスペンサーについて特に有利である。
【００１６】
大型ポンプディスペンサーは、一般的に、内容量が６液量オンスを超過すると考えられているが、小型ポンプ散布容器は、内容量が約６液量オンス以下であることを含み、そして内容量が約１００ｍｌ以下であると考えられているミニポンプディスペンサーのサブセットを含む。このようなサイズによるミニポンプディスペンサーは、大型ディスペンサー及び小型ディスペンサーに比べて独特と考えられる。容器は、好ましくはプラスチック、好ましくは熱可塑性材料で作られている。使用するのに適した熱可塑性材料の例としては、エチレン系ポリマー、例えば、エチレン／酢酸ビニル、エチレンアクリレート、エチレンメタクリレート、エチレンメチルアクリレート、エチレンメチルメタクリレート、エチレン酢酸ビニル一酸化炭素、及びエチレンｎ−ブチルアクリレート一酸化炭素、ポリブテン−１、高低密度ポリエチレン及び低密度ポリエチレン、ポリエチレン配合物及び化学的変性ポリエチレン、エチレンとＣ１〜Ｃ６のモノ不飽和単量体又はジ不飽和単量体との共重合体、ポリアミド、ポリブタジエンゴム、ポリエステル、例えば、ポリエチレンテレフタレート、ポリエチレンナフタレート、ポリブチレンテレフタレート、熱可塑性ポリカーボネート、アタクチックポリプロピレンを含む、アタクチックポリアルファオレフィン、ポリビニルメチルエーテル等、熱可塑性ポリアクリルアミド、ポリアクリロニトリル、アクリロニトリルとブタジエンスチレンのような他のモノマーとの共重合体、ポリメチルペンテン、ポリフェニレンサルファイド、芳香族ポリウレタン、スチレン−アクリロニトリル、アクリロニトリル−ブタジエン−スチレン、スチレン−ブタジエンゴム、アクリロニトリル−ブタジエン−スチレンエラストマー、ポリフェニレンサルファイド、Ａ−Ｂ、Ａ−Ｂ−Ａ、Ａ−（Ｂ−Ａ）ｎＢ、（Ａ−Ｂ）ｎＹブロックポリマー（ここで、Ａブロックは、ポリスチレンのようなポリビニル芳香族ブロックを含み、Ｂブロックは、ポリイソプレン、例えば、選択的に水素化ポリブタジエンであることがあるゴム状中間ブロックを含み、Ｙは多価化合物を含み、ｎは少なくとも３の整数である）、およびこれらの物質の混合物を含む。特定の実施形態において、熱可塑性材料は、ポリエチレンテレフタレート（ＰＥＴ）である。ＰＥＴは多い異なる製造業者によって販売されている容易に入手可能な熱可塑性である。プラスチック容器を製造するために使用される熱可塑性ポリマーは、透明、不透明、又は部分的に不透明であってもよいが、好ましくは透明である。プラスチックが好ましく透明である場合、空気清浄剤製剤はまた、購入したとき、（これはヘッドスペースが存在しないため）容器の充填容量の充填視認性及び純粋な外観を提供するように、好ましくは透明である。プラスチックが好ましいが、従来の材料、例えば、鋼、アルミニウムなどの金属で容器を提供することができる。加圧容器について、プラスチックは、実行可能な選択肢ではなかったが、プラスチックが、本発明に利用可能である利点であるので、それがより好ましい。プラスチック容器を使用する際に、この容器は腐食について懸念されなく、従って製剤に腐食防止剤を含むする必要性が排除される。  
【００１７】
使用するのに適したポンプ噴霧ヘッドは、ポンプ容器に対応するサイズを持つ。ミニポンプの場合に、噴霧ヘッドは、ミニポンプ散布容器に有用し、ミニポンプ散布容器に適しているように、小さいサイズになる。粒径は、累積粒径分布の第１０百分位数と第９０百分位数の間で測定したとき、好ましくは約２５〜約１２５ミクロンの一般的な範囲である。ポンプで散布された濃縮空気清浄組成物の性能変数は、従来のエアゾール空気清浄剤組成物と同等な香料の強度及び寿命を提供することが見出された。しかし、ポンプで散布された空気清浄剤は、エアゾール散布された空気清浄剤に比べて、同じサイズの容器についてより大きな充填容量及び減少したＶＯＣ含有量の付加的な利点を有する。粒径に関する感覚利点は、本発明と比較例について以下に記載されている。噴霧ヘッドは、任意の角度で散布するために選択することができ、任意の角度での散布は、例えば、垂直噴霧散布又は水平噴霧散布だけでなくその間の角度での散布である。さらに、噴霧ディスペンサーは、手動又は自動で動作することができる。
【００１８】
空気清浄剤製剤は、香料の高いレベル又は量を含むという意味に集中している。（噴射剤を含まなく、減少した可溶化剤の量を有することに基づく）本発明の製剤の減少したＶＯＣ含有量によって、より高いレベルの香料が、製剤中に存在することができる。これは、噴射剤を含む標準サイズエアゾール又はミニエアゾールに比較して、香料の強度又は寿命の観点で同等又は改善を可能にする。
【００１９】
本発明の濃縮空気清浄組成物が単相である。非加圧ポンプ散布容容器、特にミニポンプ散布容器から散布するための本発明の濃縮空気清浄組成物の製剤は、一般的に次のようである。
2017516511.tif 000003
【００２０】
なお、本明細書で使用される「重量％」は、１００重量％に基づいて、全組成物に基づくことに留意する。従って、製剤の成分の量は合計成分が１００重量％と等しくなるように選択される。
【００２１】
水は、キャリア／溶媒として機能し、脱イオン水、水道水、逆浸透水などであることがある。水が約３０の重量％〜約５０重量％の量で存在することが好ましく、より好ましくは約３０重量％〜約８０重量％である。従来の慣例に反して、製剤に含めることができる水は、多ければ多いほどより好ましい。従って、上記の提供された、約３０重量％〜約８８重量％の範囲がさらにより好ましい。
【００２２】
香料成分は、香料の１種又はこれらの混合物であることがある天然又は合成であることがある。香料成分は、約２重量％〜約１２重量％の量で存在することが好ましく、より好ましくは約８重量％〜約１２重量％である。
【００２３】
アルコール可溶化成分は、少なくとも１つのアルコール基を含有する１つ以上の可溶化成分であることがある。アルコール可溶化成分は、好ましくは第１級短鎖（Ｃ１−Ｃ４）アルコールであるが、第２級短鎖（Ｃ１−Ｃ４）アルコール、（Ｃ１−Ｃ４）アルキレングリコール、等であってもよい。アルコール可溶化成分は、約１０重量％〜約５５重量％の量で存在することが好ましく、より好ましくは約４０重量％〜約５０重量％である。アルコール可溶化成分は、好ましくは無水物、例えば、エチルアルコール無水物である。しかし、アルコールは、また、変性アルコール、例えば、エチルアルコールＳＤＡ４０−Ｂであってもよい。
【００２４】
選択的に、濃縮空気清浄剤組成物中に存在することがある他の構成要素には次のようである。
2017516511.tif 000004
【００２５】
使用に適した消臭剤／殺菌剤は、モノアルキレングリコール、ジアルキレングリコール及びトリアルキレングリコールを含み、好ましくは、トリエチレングリコール（ＴＥＧ）、プロピレングリコール及びジプロピレングリコールである。消臭剤／殺菌剤は、約０．５重量％〜約５重量％の量で存在するこどが好ましく、より好ましくは約１重量％〜約５重量％である。
【００２６】
補助可溶化剤は、アルコール含有化合物、例えば、グリコール、グリコールモノエーテル、ケトン等を含む。使用に適した好ましい補助可溶化剤は、プロピレングリコール、アセトン、ジエチレングリコールモノエチルエーテル等である。補助可溶化剤は、約１重量％〜約１５重量％の量で存在するこどが好ましく、より好ましくは約１重量％〜約５重量％である。
【００２７】
使用するのに適したアジュバントは、防腐剤、及び空気清浄剤で従来から使用可能な他のアジュバントを含むことができる。アジュバントは、存在する全アジュバント成分に基づいて、約０．０５重量％〜約０．５重量％の量で存在するこどが好ましく、より好ましくは約０．０５重量％〜約０．１重量％である。
【００２８】
界面活性剤は、本発明の濃縮空気清浄組成物中で含まれる好ましい成分ではない。香料が、ただ、約４重量％以下の量で存在する場合、界面活性剤の使用が適している。一般に、界面活性剤は、香料を可溶化するために、例えば、従来のエアゾール空気清浄剤で、低い香料含有量（すなわち、１重量％未満）を有する組成物において必要である。しかしながら、約２重量％〜約１６重量％の香料の高いレベルを含有する組成物中に、本発明で、例えば、約４重量％を超える量で、界面活性剤は、香料を可溶化するために、存在する香料の割合と少なくとも同じくらいの割合の量で必要とされる。これは、ポンプ容器から空気清浄剤を散布するために有益ではない程度に、組成物を増粘する。
【００２９】
本発明の特定の濃縮空気清浄製剤の実施例を以下に記載する。
【００３０】
2017516511.tif 000005
【００３１】
2017516511.tif 000006
【００３２】
2017516511.tif 000007
【００３３】
噴射剤含有エアゾールと本発明の空気清浄製剤との間に、寿命及び強度について少なくとも同等であるために、試験を実施し、得られた結果は以下に記載された。
【００３４】
2017516511.tif 000008
【００３５】
実施例４（ａ）及び４（ｃ）は、上述したような本発明の実施例１（ａ）及び（ｃ）と比較した。
【００３６】
ポンプシステム及びエアゾールシステムは、それぞれＡ、Ｂ、Ｃ、Ｄ及びＥとして表記された５つ異なる香料の使用して互いに対して試験した。香料はそれぞれの香料について２重量％及び８重量％の量で提供した。この組成物は、それぞれ、寿命及び強度について単一の噴霧及び二重の噴霧に基づいて試験した。この組成物はまた、すなわち送達された粒径を示すために、累積粒径分布について試験した。
【００３７】
試験で使用したエアゾール容器は、１２ｍＬ容量の５５ｍｍ高アルミエアゾール缶であった。試験で使用したポンプ容器は、同様のサイズのプラスチック瓶であった。
【００３８】
記載されているポンプのバージョンとエアゾールバージョンの両方を、強度及び寿命試験について同じプロトコルを使用して試験した。この試験において、香料の強度、すなわち、強さは噴霧後５分及び１５分の時点で測定し、図１（ａ）〜（ｅ）にグラフに示す。
【００３９】
水平軸に沿って図１（ａ）〜（ｅ）において、１＝２％製剤は１回噴霧し、２＝２％製剤は２回噴霧し、４＝８％製剤は１回噴霧し、そして８＝８％製剤は２回噴霧した。グラフで使用される記号の名称は、各グラフについて同じである。エアゾール製剤とポンプ製剤の異なる香料の感覚強度結果は類似しており、任意の大きなギャップがなく、従って感覚強度について同等である。
【００４０】
図２（ａ）〜（ｅ）において、噴霧後の時間間隔で測定された強度結果が記載されている。時間間隔は５、１５、３０、４５、６０、７５、９０、１０５及び１２０分であった。エアゾール製剤とポンプ製剤との間に時間（寿命）経過による強度の類似性は、本質的に同じであり、従って寿命について同等である。
【００４１】
粒径分布試験は、マルバーンのスプレーテック粒径分析器を用いて行った。粒径分布データは、マルバーンのスプレーテック機器に試験単位を噴霧することにより測定した。この単位の出口オリフィスとレーザビームとの間の距離を３〜４インチに維持した。３回の噴霧からのデータを平均し、計算に使用した。エアゾールの場合は、市販のホルダー中のように直線状０．０２０”オリフィスノズルが使用された。ポンプの場合は、機械的なブレークアップ及び０．００８”出口オリフィスを有する噴霧器ノズルが使用された。２重量％の香料を使用してマルバーン試験のためのサンプルが、以下の表１に記載されている。８重量％の香料使用してマルバーン試験のためのサンプルが、以下の表２に示される。
【００４２】
【表１】
2017516511.tif 000009
【００４３】
【表２】
2017516511.tif 000010
【００４４】
Ｄｖ（１０）、ＤＶ（５０）及びＤＶ（９０）は、それぞれ、噴霧容積分布の第１０百分位数、第５０百分位数及び第９０百分位数での粒径を示している。結果は、図３及び図４にグラフに示しておる。図３及び図４において、実線がエアゾールサンプルであり、点線がポンプサンプルを示す。この線で表示された数字は、上記の表１及び表２のサンプル番号に対応している。横方向（ｘ）軸で１０と１００との間の垂直線は１０だけ増加した（すなわち、１０の次には、２０、３０、４０、５０、６０、７０、８０、９０、１００である）。ｘ軸で１００の次の垂直線は、１００だけ増加した。これらの結果はさらに、以下の表３及び表４にまとめた。
【００４５】
【表３】
2017516511.tif 000011
【００４６】
【表４】
2017516511.tif 000012
【００４７】
２つの製品において、４つの香料を２種類の香料濃度で試験した試験によると、香料製剤及び濃度について噴霧診断変数にはかなりの効果が存在しないことがわかる。ポンプ送達のそれぞれの場合のＤｖ（５０）が、エアゾール送達に比べて大きいと、ポンプはさらにエアゾール噴霧に匹敵する香料強度及び寿命で噴霧を送達した。このように、非加圧ポンプ送達濃縮空気清浄剤と噴射剤含有エアゾール空気清浄剤の性能は類似しており、さらに非加圧ポンプ送達濃空気清浄剤は、プラスチック容器から散布される能力及び減少したＶＯＣ含有量の追加の利点を有する（透明性及びより大きな充填容量のその付随する利点を含む）。このような結果によると、ポンプで散布された組成物の粒子は、Ｄｖ（５０）での粒径が、エアゾール噴霧粒子よりも、約１．５〜３．０倍大きく、さらにこれらが同等であることができる。
【００４８】
本明細書で開示される例示的な実施形態は、網羅的であること、又は不必要に本発明の範囲を限定するものではない。例示的な実施形態は、当業者が本発明を実施できるように本発明の原理を説明するために選択され記載された。当業者には明らかなように、種々の改変が前述の説明の範囲内で行うことができる。当業者の能力の範囲内であるこのような修正は、本発明の一部を形成し、添付の特許請求の範囲に包含される。
【図１】
2017516511.tif 000013
【図２】
2017516511.tif 000014
【図３】
2017516511.tif 000015
【図４】
2017516511.tif 000016
【国際調査報告】
2017516511.tif 000017
2017516511.tif 000018